(57)【要約】      （修正有）【課題】本発明は、便宜性を有し、小型化と生産性の向上を具現すると同時に、緩み解除機能を有するリサイクルが可能なケーブルタイ等活用範囲を拡張できるバックルを提供する。【解決手段】バックルＢＵは、バンドＢＡが挿入される挿入空間と、前記挿入空間に挿入された前記バンドが排出される排出空間とを具備するボディー部１１０と、前記ボディー部と連結されて、前記バンドの移動を制御するボタン部１２０と、を含み、前記ボタン部は、外力が作用する場合、ねじりによる振子運動によって前記バンドの移動を制御することを特徴とする。【選択図】図１
2019093133.tif 000002
【特許請求の範囲】
【請求項１】
バンドの第１方向への移動は自由であるが、前記第１方向と反対方向である第２方向への移動は選択的に具現されるようにするバックルにおいて、
前記バンドの一端が挿入される挿入空間と、前記挿入空間に挿入された前記バンドの一端が排出される排出空間とを具備するボディー部と；
前記ボディー部と連結されて、第１位置と第２位置との間で位置変化が可能であり、前記第１位置である場合、前記バンドと接触したまま、前記バンドの前記第１方向への移動を自由にし、かつ前記バンドとの接触によって前記バンドの前記第２方向への移動を遮断し、前記第２位置である場合、前記バンドと非接触して、前記バンドの第２方向への移動を自由にするボタン部と；を含み、
前記ボディー部は、
前記ボタン部が前記第１位置である場合、前記バンドに向かう前記ボタン部の加圧力に対抗して、前記バンドを前記挿入空間と前記排出空間との間で支持する支持壁部と、前記支持壁部の一方および他方からそれぞれ延びる第１側壁部および第２側壁部とを具備し、
前記ボタン部は、
前記第１側壁部の内面および前記第２側壁部の内面それぞれから延びる一方の第１軸および他方の第１軸を具備して前記ボディー部と連結され、前記一方の第１軸と前記他方の第１軸と一定の距離に位置する第２軸を具備し、前記一方の第１軸から前記支持壁部に向かって延びる一方の連結軸と、前記他方の第１軸から前記支持壁部に向かって延びる他方の連結軸とをさらに具備して、前記第２軸が前記一方の第１軸および前記他方の第１軸と一体化するようにし、
外力が作用する場合、前記一方の第１軸および前記他方の第１軸のねじりによって前記一方の連結軸および前記他方の連結軸がそれぞれ前記一方の第１軸および前記他方の第１軸を基準として回転して、前記第２軸が前記一方の第１軸および前記他方の第１軸を基準として振子運動することにより、前記第１位置から前記第２位置への位置変化が具現されることを特徴とするバックル。
【請求項２】
前記一方の連結軸は、前記一方の第１軸から前記第２側壁部に向かって延び、
前記他方の連結軸は、前記他方の第１軸から前記第１側壁部に向かって延び、
前記一方の第１軸と前記他方の第１軸は、同軸上に位置することを特徴とする請求項１に記載のバックル。
【請求項３】
前記一方の連結軸と前記他方の連結軸は、同じ長さで形成されることを特徴とする請求項１または２に記載のバックル。
【請求項４】
前記ボタン部は、
前記第２軸から前記挿入空間に向かって延びて、前記外力を印加される外力印加部と、
前記第２軸から前記排出空間に向かって延びて、前記バンドを加圧する加圧部とを具備し、
前記加圧部は、
前記外力印加部に印加される前記外力による前記一方の第１軸および前記他方の第１軸のねじりによって前記一方の第１軸および前記他方の第１軸を基準として回転して、前記第１位置から前記第２位置に位置変化することを特徴とする請求項１〜３のいずれかに記載のバックル。
【請求項５】
前記一方の第１軸および前記他方の第１軸は、
前記外力が除去されると、ねじりによる復元力によって元の位置に復帰して、前記第２位置から前記第１位置に位置変化することを特徴とする請求項１〜４のいずれかに記載のバックル。
【請求項６】
前記一方の連結軸および前記他方の連結軸は、
前記外力により前記一方の第１軸および前記他方の第１軸がねじれる場合、長さが変わらないことを特徴とする請求項１〜５のいずれかに記載のバックル。
【請求項７】
前記加圧部は、
前記第１位置である場合、前記バンドを加圧する第１加圧部と、前記第１加圧部により加圧される前記バンドの一部分を基準として前記排出空間にさらに近い前記バンドの他の一部分を加圧する第２加圧部とを具備し、
前記第１加圧部および前記第２加圧部は、一体に形成されることを特徴とする請求項４〜６のいずれかに記載のバックル。
【請求項８】
前記第２加圧部は、
前記第１位置から前記第２位置に位置変化する場合の移動する程度が、前記第１加圧部の移動する程度よりも、さらに大きいことを特徴とする請求項７に記載のバックル。
【請求項９】
前記バンドは、
並んで互いに離隔して形成される係止溝と、前記係止溝と垂直に形成されるガイド溝とを具備し、
前記ボタン部は、
前記外力印加部と前記加圧部を互いに連結する連結部をさらに具備し、
前記連結部は、
前記ガイド溝に対応する第１ガイド突出部を具備して、前記バンドが前記挿入空間に挿入され前記排出空間に排出される過程で、前記バンドの移動をガイドすることを特徴とする請求項４〜８のいずれかに記載のバックル。
【請求項１０】
前記加圧部は、
前記ガイド溝を基準として同一線上の一方の方向および他方の方向にそれぞれ形成される一方の係止溝および他方の係止溝をそれぞれ加圧する一方の加圧部および他方の加圧部を具備し、
前記一方の加圧部および前記他方の加圧部は、
前記連結部からそれぞれ前記一方の方向および前記他方の方向に延びて形成され、
前記一方の加圧部の一面のうち前記挿入空間に向かう一面は、
前記第１側壁部の内面から突出して形成される第１段差部の第１段差面に対応するように段差をもって形成されて、前記バンドの前記第２方向に向かう外力による前記第１位置にある前記ボタン部の回転を防止することを特徴とする請求項９に記載のバックル。
【請求項１１】
前記バンドは、
並んで互いに離隔して形成される係止溝と、前記係止溝と垂直に形成されるガイド溝とを具備し、
前記ボディー部は、
前記第１側壁部の内面および前記第２側壁部の内面から延びて、前記支持壁部との間で前記挿入空間の大きさを規定する挿入側壁部と、
前記第１側壁部の内面および前記第２側壁部の内面から延びて、前記支持壁部との間で前記排出空間の大きさを規定する排出側壁部とを具備し、
前記挿入側壁部と前記排出側壁部は、互いに離隔するように形成され、
前記挿入側壁部および前記排出側壁部のうち少なくとも一つは、
前記ガイド溝に対応する第２ガイド突出部を具備して、前記バンドが前記挿入空間に挿入され前記排出空間に排出される過程で、前記バンドの移動をガイドすることを特徴とする請求項１〜１０のいずれかに記載のバックル。
【請求項１２】
前記支持壁部は、
プラスチック樹脂を用いた射出により前記バックルが具現されるように、前記プラスチック樹脂が移動するための開口部を具備することを特徴とする請求項１〜１１のいずれかに記載のバックル。
【請求項１３】
前記ボディー部から延びて、前記排出空間に排出される前記バンドを固定させるための固定部；をさらに含み、
前記固定部は、
前記バンドとの固定により、前記排出空間に排出される前記バンドによる固定空間が提供されるようにすることを特徴とする請求項１〜１２のいずれかに記載のバックル。
【請求項１４】
前記バンドは、
並んで互いに離隔して形成される係止溝を具備し、
前記固定部は、
前記排出空間に排出される前記バンドが通過する通過空間を具備し、前記通過空間を規定する内面に前記係止溝に挿入される挿入部が形成されることを特徴とする請求項１３に記載のバックル。
【請求項１５】
前記挿入部は、
前記通過空間に挿入される前記バンドの第３方向への移動を自由にして、前記固定空間の大きさが調節され得るようにし、かつ前記通過空間を通過した前記バンドの前記第３方向の反対方向である第４方向への移動は選択的に具現されるようにすることを特徴とする請求項１４に記載のバックル。
【請求項１６】
前記固定部は、
前記通過空間を通過して露出する前記バンドに加えられる外力により前記通過空間の状態が変形されるように弾性変形されて、前記通過空間を通過した前記バンドの前記第４方向への移動を可能にすることを特徴とする請求項１５に記載のバックル。
【請求項１７】
前記固定部は、
前記通過空間を通過して露出する前記バンドに加えられる外力により前記通過空間を通過した前記バンドの前記第４方向への移動が可能なように、前記挿入部が形成される一面の反対面がラウンド状に形成されることを特徴とする請求項１５に記載のバックル。
【請求項１８】
前記バンドは、
前記固定部が挿入されて前記固定空間の大きさを規定する固定ホールを具備することを特徴とする請求項１３に記載のバックル
【請求項１９】
前記バンドは、
前記固定部より大きく形成されて、前記固定部が安定して挿入されるようにする挿入ホールと、前記挿入ホールに挿入された前記固定部が前記バンドの移動によって前記固定ホールに対応する位置に移動するように、前記挿入ホールと前記固定ホールを互いに連結するガイドホールとをさらに具備することを特徴とする請求項１８に記載のバックル。
【請求項２０】
前記固定ホールは、
前記挿入ホールより小さく形成され、かつ前記固定部が引き出されない大きさで形成されることを特徴とする請求項１９に記載のバックル。
【発明の詳細な説明】
【技術分野】
【０００１】
本発明は、バックルに関し、より詳細には、特定の物体を互いに連結するのに使用できると同時に、バンドの長さ調節を可能にして、物体の拘束範囲を調節できるようにするバックルに関する。
【背景技術】
【０００２】
従来の衣類やカバン等の被着物において幅を減らしたり広げる目的でバックル装置が使用されている。
【０００３】
このような被着物に使用されるバックル装置は、基本的にバンドとバックルからなり、バックルは、バンドの両端部を結束したり、またはズボンやスカート等の腰部の端部に備えられて、ズボンやスカート等の腰の寸法を着用者の腰の寸法に合うように調節する機能を提供する。
【０００４】
また、カバンやハンドバッグ等において入口を縮小したり拡張したりする等の目的にも活用され、時計ベルト等にも使用されて、時計ベルトのサイズを着用者の手首に合うように調節する目的にも活用される。
【０００５】
上述のような目的のために使用されるバックルは、バンドが引き締められる方向、すなわち、順方向にはバンドの引きにより自由なスライド移動が提供されるが、バンドが緩む方向、すなわち、逆方向には移動が統制されて、バンドが緩まない引き締め状態が維持される。
【０００６】
従来のバックルは、上述のような目的を達成するために、バンドが通過するバックルハウジングと、前記バックルハウジング内に回転自在に装着されるボタンと、前記ボタンにより位置移動して、バンドの統制可否を調節する係止手段と、前記ボタンに弾性力を提供するバネとを含んでいる。
【０００７】
ここで、従来のバックルに設けられるボタンは、バックルハウジングの上方向に突出して回転可能であり、ユーザがバンドの引き締め状態を解除する場合、前記バックルハウジングの上方向に突出したボタンを回転させてこれを具現した。
【０００８】
しかしながら、従来のバックルは、ボタンの反復的な使用によって破損する問題が発生して、耐久性が良好でなく、部品数が多く、組立て工程が複雑であるという問題があった。
【０００９】
また、従来のバックルに使用される従来のバンドは、バックルハウジング内に挿入されることになるが、挿入時にバックルハウジングに係止することになって、容易に挿入するのに問題があった。
【００１０】
すなわち、従来のバックルおよびバンドは、ユーザに便宜性を提供しないという問題が存在する。
【発明の概要】
【発明が解決しようとする課題】
【００１１】
本発明の目的は、ユーザに便宜性を提供し、小型化と生産性の向上を具現すると同時に、緩み解除機能を有するリサイクルが可能なケーブルタイ等活用範囲を拡張できるバックルを提供することにある。
【００１２】
また、本発明の他の目的は、非意図的なバンドの引き締め状態の解除を未然に防止できるバックルを提供することにある。
【００１３】
また、本発明のさらに他の目的は、物体を拘束した以後のバンドの残余分に対する整理を可能にして、使用の便宜性が向上したバックルを提供することにある。
【００１４】
また、本発明のさらに他の目的は、バンドＢＡの引き締めによる物体の拘束された状態を維持した後、壁やテーブル等に突出して形成されるピン等に係止して、拘束された物体を空中に浮揚されたまま整理できるバックルを提供することにある。
【課題を解決するための手段】
【００１５】
本発明の一実施形態に係るバックルは、バンドの第１方向への移動は自由であるが、前記第１方向と反対方向である第２方向への移動は選択的に具現されるようにするものであり、前記バンドの一端が挿入される挿入空間と、前記挿入空間に挿入された前記バンドの一端が排出される排出空間とを具備するボディー部と；前記ボディー部と連結されて、第１位置と第２位置との間で位置変化が可能であり、前記第１位置である場合、前記バンドと接触したまま、前記バンドの前記第１方向への移動を自由にし、かつ前記バンドとの接触により前記バンドの前記第２方向への移動を遮断し、前記第２位置である場合、前記バンドと非接触して、前記バンドの第２方向への移動を自由にするボタン部と；を含み、前記ボディー部は、前記ボタン部が前記第１位置である場合、前記バンドに向かう前記ボタン部の加圧力に対抗して前記バンドを前記挿入空間と前記排出空間との間で支持する支持壁部と、前記支持壁部の一方および他方からそれぞれ延びる第１側壁部および第２側壁部とを具備し、前記ボタン部は、前記第１側壁部の内面および前記第２側壁部の内面それぞれから延びる一方の第１軸および他方の第１軸を具備して前記ボディー部と連結され、前記一方の第１軸と前記他方の第１軸と一定の距離に位置する第２軸を具備し、前記一方の第１軸から前記支持壁部に向かって延びる一方の連結軸と、前記他方の第１軸から前記支持壁部に向かって延びる他方の連結軸とをさらに具備して、前記第２軸が前記一方の第１軸および前記他方の第１軸と一体化するようにし、外力が作用する場合、前記一方の第１軸および前記他方の第１軸のねじりによって前記一方の連結軸および前記他方の連結軸がそれぞれ前記一方の第１軸および前記他方の第１軸を基準として回転して、前記第２軸が前記一方の第１軸および前記他方の第１軸を基準として振子運動することにより、前記第１位置から前記第２位置への位置変化が具現されることを特徴とする。
【００１６】
本発明の一実施形態に係るバックルにおいて、前記一方の連結軸は、前記一方の第１軸から前記第２側壁部に向かって延び、前記他方の連結軸は、前記他方の第１軸から前記第１側壁部に向かって延び、前記一方の第１軸と前記他方の第１軸は、同軸上に位置することを特徴とする。
【００１７】
本発明の一実施形態に係るバックルにおいて、前記一方の連結軸と前記他方の連結軸は、同じ長さで形成されることを特徴とする。
【００１８】
本発明の一実施形態に係るバックルにおいて、前記ボタン部は、前記第２軸から前記挿入空間に向かって延びて、外力を印加される外力印加部と、前記第２軸から前記排出空間に向かって延びて、前記バンドを加圧する加圧部とを具備し、前記加圧部は、前記外力印加部に印加される前記外力による前記一方の第１軸および前記他方の第１軸のねじりによって前記一方の第１軸および前記他方の第１軸を基準として回転して、前記第１位置から前記第２位置に位置変化することを特徴とする。
【００１９】
本発明の一実施形態に係るバックルにおいて、前記一方の第１軸および前記他方の第１軸は、前記外力が除去されると、ねじりによる復元力によって元の位置に復帰して、前記第２位置から前記第１位置に位置変化することを特徴とする。
【００２０】
本発明の一実施形態に係るバックルにおいて、前記一方の連結軸および前記他方の連結軸は、前記外力により前記一方の第１軸および前記他方の第１軸がねじれる場合、長さが変わらないことを特徴とする。
【００２１】
本発明の一実施形態に係るバックルにおいて、前記加圧部は、前記第１位置である場合、前記バンドを加圧する第１加圧部と、前記第１加圧部により加圧される前記バンドの一部分を基準として前記排出空間にさらに近い前記バンドの他の一部分を加圧する第２加圧部とを具備し、前記第１加圧部および前記第２加圧部は、一体に形成されることを特徴とする。
【００２２】
本発明の一実施形態に係るバックルにおいて、前記第２加圧部は、前記第１位置から前記第２位置に位置変化する場合の移動する程度が、前記第１加圧部の移動する程度よりも、さらに大きいことを特徴とする。
【００２３】
本発明の一実施形態に係るバックルにおいて、前記バンドは、並んで互いに離隔して形成される係止溝と、前記係止溝と垂直に形成されるガイド溝とを具備し、前記ボタン部は、前記外力印加部と前記加圧部を互いに連結する連結部をさらに具備し、前記連結部は、前記ガイド溝に対応する第１ガイド突出部を具備して、前記バンドが前記挿入空間に挿入され前記排出空間に排出される過程で、前記バンドの移動をガイドすることを特徴とする。
【００２４】
本発明の一実施形態に係るバックルにおいて、前記加圧部は、前記ガイド溝を基準として同一線上の一方の方向および他方の方向にそれぞれ形成される一方の係止溝および他方の係止溝をそれぞれ加圧する一方の加圧部および他方の加圧部を具備し、前記一方の加圧部および前記他方の加圧部は、前記連結部からそれぞれ前記一方の方向および前記他方の方向に延びて形成され、前記一方の加圧部の一面のうち前記挿入空間に向かう一面は、前記第１側壁部の内面から突出して形成される第１段差部の第１段差面に対応するように段差をもって形成されて、前記バンドの前記第２方向に向かう外力による前記第１位置にある前記ボタン部の回転を防止することを特徴とする。
【００２５】
本発明の一実施形態に係るバックルにおいて、前記バンドは、並んで互いに離隔して形成される係止溝と、前記係止溝と垂直に形成されるガイド溝とを具備し、前記ボディー部は、前記第１側壁部の内面および前記第２側壁部の内面から延びて、前記支持壁部との間で前記挿入空間の大きさを規定する挿入側壁部と、前記第１側壁部の内面および前記第２側壁部の内面から延びて、前記支持壁部との間で前記排出空間の大きさを規定する排出側壁部とを具備し、前記挿入側壁部と前記排出側壁部は、互いに離隔するように形成され、前記挿入側壁部および前記排出側壁部のうち少なくとも一つは、前記ガイド溝に対応する第２ガイド突出部を具備して、前記バンドが前記挿入空間に挿入され前記排出空間に排出される過程で、前記バンドの移動をガイドすることを特徴とする。
【００２６】
本発明の一実施形態に係るバックルにおいて、前記支持壁部は、プラスチック樹脂を用いた射出により前記バックルが具現されるように、前記プラスチック樹脂が移動するための開口部を具備することを特徴とする。
【００２７】
本発明の一実施形態に係るバックルは、前記ボディー部から延びて、前記排出空間に排出される前記バンドを固定させるための固定部；をさらに含み、前記固定部は、前記バンドとの固定により、前記排出空間に排出される前記バンドによる固定空間が提供されるようにすることを特徴とする。
【００２８】
本発明の一実施形態に係るバックルにおいて、前記固定部は、前記排出空間に排出される前記バンドが通過する通過空間を具備し、前記通過空間を規定する内面に前記係止溝に挿入される挿入部が形成されることを特徴とする。
【００２９】
本発明の一実施形態に係るバックルにおいて、前記挿入部は、前記通過空間に挿入される前記バンドの第３方向への移動を自由にして、前記固定空間の大きさが調節され得るようにし、かつ前記通過空間を通過した前記バンドの前記第３方向の反対方向である第４方向への移動は、選択的に具現されるようにすることを特徴とする。
【００３０】
本発明の一実施形態に係るバックルにおいて、前記固定部は、前記通過空間を通過して露出する前記バンドに加えられる外力により前記通過空間の状態が変形されるように弾性変形されて、前記通過空間を通過した前記バンドの前記第４方向への移動を可能にすることを特徴とする。
【００３１】
本発明の一実施形態に係るバックルにおいて、前記固定部は、前記通過空間を通過して露出する前記バンドに加えられる外力により前記通過空間を通過した前記バンドの前記第４方向への移動が可能なように、前記挿入部が形成される一面の反対面がラウンド状に形成されることを特徴とする。
【００３２】
本発明の一実施形態に係るバックルにおいて、前記バンドは、前記固定部が挿入されて、前記固定空間の大きさを規定する固定ホールを具備することを特徴とする。
【００３３】
本発明の一実施形態に係るバックルにおいて、前記バンドは、前記固定部より大きく形成されて、前記固定部が安定して挿入されるようにする挿入ホールと、前記挿入ホールに挿入された前記固定部が前記バンドの移動によって前記固定ホールに対応する位置に移動するように前記挿入ホールと前記固定ホールを互いに連結するガイドホールとをさらに具備することを特徴とする。
【００３４】
本発明の一実施形態に係るバックルにおいて、前記固定ホールは、前記挿入ホールより小さく形成され、かつ前記固定部が引き出されない大きさで形成されることを特徴とする。
【発明の効果】
【００３５】
本発明によるバックルによれば、ユーザに便宜性を提供し、小型化を具現すると同時に、ケーブルタイ、すなわち、緩み解除機能を有するケーブルタイに活用範囲を拡張することができる。
【００３６】
また、非意図的なバンドの引き締め状態の解除を未然に防止することができる。
【００３７】
また、物体を拘束した以後のバンドの残余分に対する整理を可能にして、使用の便宜性および活用幅を最大化することができる。
【００３８】
また、バンドＢＡの引き締めによる物体の拘束された状態を維持した後、壁やテーブル等に突出して形成されるピン等に係止して、拘束された物体を空中に浮揚されたまま整理することができる。
【図面の簡単な説明】
【００３９】
【図１】バンドの長さ調節を可能にして物体の拘束範囲を調節できるようにする本発明の一実施形態に係るバックルを示す概略斜視図である。
【図２】本発明の一実施形態に係るバックルを示す概略斜視図である。
【図３】本発明の一実施形態に係るバックルを示す概略底面斜視図である。
【図４】本発明の一実施形態に係るバックルを示す概略平面図である。
【図５】本発明の一実施形態に係るバックルを示す概略切欠斜視図である。
【図６】本発明の一実施形態に係るバックルに設けられるボタン部を示す概略斜視図である。
【図７】図２のＡ−Ａ線に沿う概略断面図である。
【図８】本発明の一実施形態に係るバックルの使用状態を示す図であって、バンドの挿入状態を示す図である。
【図９】本発明の一実施形態に係るバックルの使用状態を示す図であって、バンドの緩み状態を示す図である。
【図１０】本発明の他の一実施形態に係るバックルを示す概略斜視図である。
【図１１】図１０のＢ−Ｂ線に沿う概略断面図である。
【図１２】本発明の他の一実施形態に係るバックルの緩み防止機能を説明するための図である。
【図１３】ボタン部の変形例を示す図である。
【図１４】バンドの長さ調節を可能にして物体の拘束範囲を調節できるようにする本発明のさらに他の一実施形態に係るバックルを示す概略斜視図である。
【図１５】図１４に示された実施形態によるバックルを示す概略斜視図である。
【図１６】図１４に示された実施形態によるバックルを示す図であって、固定部によりバンドが整理される状態を説明するための図である。
【図１７】図１４に示された実施形態によるバックルを示す図であって、固定部により整理されたバンドが固定部から分離することができる状態を説明するための図である。
【図１８】図１４に示された実施形態によるバックルの変形例を示す図であって、固定部によりバンドが整理される状態を説明するための図である。
【図１９】図１８に示された実施形態によるバックルを示す図であって、固定部により整理されたバンドが固定部から分離することができる状態を説明するための図である。
【図２０】バンドの長さ調節を可能にして物体の拘束範囲を調節できるようにする本発明のさらに他の一実施形態に係るバックルを示す概略斜視図である。
【図２１】図２０に示された実施形態によるバックルを示す概略斜視図である。
【図２２】図２０に示された実施形態によるバックルを示す図であって、固定部によりバンドが整理される状態を説明するための図である。
【図２３】図２０に示された実施形態によるバックルを示す図であって、固定部によりバンドが整理される状態を説明するための図である。
【発明を実施するための形態】
【００４０】
以下では、図面を参照して本発明の具体的な実施形態を詳細に説明する。ただし、本発明の思想は、提示される実施形態に制限されず、本発明の思想を理解する当業者は、同じ思想の範囲内で他の構成要素を追加、変更、削除等を通して、退歩的な他の発明や本発明の思想の範囲内に含まれる他の実施形態を容易に提案することができるが、これもまた本願発明の思想の範囲内に含まれると言える。
【００４１】
また、各実施形態の図面に示される同じ思想の範囲内の機能が同じ構成要素は、同じ参照符号を使用して説明する。
【００４２】
図１は、バンドの長さ調節を可能にして物体の拘束範囲を調節できるようにする本発明の一実施形態に係るバックルを示す概略斜視図である。
【００４３】
まず、本発明の一実施形態に係るバックルＢＵに対する具体的な説明に先立って、前記バックルＢＵが活用され得る活用範囲について説明すると、前記バックルＢＵは、カバン、靴、スキーウェアおよび作業服などを含む衣類、ベルト、サスペンダー、時計、女性用ブラジャー、ケーブルタイ等長さまたは幅などを調節（拘束範囲を調節）する必要がある製品に全て使用可能である。
【００４４】
図１は、本発明の一実施形態に係るバックルＢＵが一つの使用例として各種電線または物などを縛る用途に使用されるケーブルタイに適用されたことを示している。
【００４５】
図１を参照すると、本発明の一実施形態に係るバックルＢＵは、バンドＢＡの第１方向Ｄ１への移動は自由であるが、前記第１方向Ｄ１と反対方向である第２方向Ｄ２への移動は選択的に具現されるようにする装置でありうる。
【００４６】
まず、前記バックルＢＵにより物体の拘束範囲を調節するためのバンドＢＡについて説明すると、前記バンドＢＡは、並んで互いに離隔して形成される係止溝２１０と、前記係止溝２１０と垂直に形成されるガイド溝２２０とを具備することができる。
【００４７】
前記係止溝２１０は、前記バックルＢＵの一構成要素であるボタン部１２０により前記バンドＢＡの前記第２方向Ｄ２に移動を遮断するための溝であってもよく、前記ガイド溝２２０は、前記バンドＢＡが前記バックルＢＵの内部に安定して挿入され得るようにする溝であってもよい。
【００４８】
前記係止溝２１０および前記ガイド溝２２０については、本発明の一実施形態に係るバックルＢＵの使用状態を説明しつつ、より具体的に説明することとする。
【００４９】
前記バックルＢＵは、ボディー部１１０およびボタン部１２０を含むことができ、前記ボディー部１１０および前記ボタン部１２０は、プラスチック樹脂を用いた射出により一体に形成され得る。
【００５０】
ここで、前記バンドＢＡは、図示のように、前記バックルＢＵとピンＰ等の締結部材を利用して連結され得るが、必ずこれに限定されるものではなく、前記バックルＢＵと共にプラスチック樹脂を用いた射出により一体に形成されても構わない。
【００５１】
前記ボディー部１１０は、前記バンドＢＡの一端が挿入される挿入空間Ｓ１（図７参照）と、前記挿入空間Ｓ１に挿入された前記バンドＢＡの一端が排出される排出空間Ｓ２（図７参照）とを具備することができる。
【００５２】
そして、前記ボタン部１２０は、前記ボディー部１１０と連結されて、第１位置（図８（ａ）に示された位置）と第２位置（図９に示された位置）との間で位置変化が可能であり、前記第１位置である場合、前記バンドと接触したまま、前記バンドの前記第１方向Ｄ１への移動を自由にし、かつ前記バンドＢＡとの接触によって前記バンドの前記第２方向Ｄ２への移動を遮断し、前記第２位置である場合、前記バンドＢＡと非接触して、前記バンドＢＡの第２方向Ｄ２への移動を自由にする構成要素であってもよい。
【００５３】
以下では、前記ボディー部１１０および前記ボタン部１２０の具体的な構成および前記バックルＢＵの使用状態について具体的に説明する。
【００５４】
図２は、本発明の一実施形態に係るバックルを示す概略斜視図であり、図３は、本発明の一実施形態に係るバックルを示す概略底面斜視図であり、図４は、本発明の一実施形態に係るバックルを示す概略平面図である。
【００５５】
また、図５は、本発明の一実施形態に係るバックルを示す概略切欠斜視図であり、図６は、本発明の一実施形態に係るバックルに設けられるボタン部を示す概略斜視図であり、図７は、図２のＡ−Ａ線に沿う概略断面図である。
【００５６】
図２〜図７を参照すると、前記バックルＢＵは、ボディー部１１０とボタン部１２０を含むことができる。
【００５７】
ここで、前記ボディー部１１０は、前記ボタン部１２０が第１位置（図８（ａ）に示された位置）である場合、バンドＢＡに向かう前記ボタン部１２０の加圧力に対抗して前記バンドＢＡを挿入空間Ｓ１と排出空間Ｓ２との間で支持する支持壁部１１２と、前記支持壁部１１２の一方および他方からそれぞれ延びる第１側壁部１１４および第２側壁部１１６とを含むことができる。
【００５８】
前記ボタン部１２０は、前記第１側壁部１１４の内面および前記第２側壁部１１６の内面それぞれから延びる一方の第１軸１２１および他方の第１軸１２２を具備して、前記ボディー部１１０と一体化することができ、前記一方の第１軸１２１と前記他方の第１軸１２２と一定の距離に位置する第２軸１２３を具備して、外力による前記一方の第１軸１２１と前記他方の第１軸２３３のねじりによって回転する前記第２軸１２３により前記第１位置から前記第２位置への位置変化が具現され得る。
【００５９】
前記ボタン部１２０は、前記一方の第１軸１２１から前記第２側壁部１１６および前記支持壁部１１２に向かって延びる一方の連結軸１２４と、前記他方の第１軸１２２から前記第１側壁部１１４および前記支持壁部１１２に向かって延びる他方の連結軸１２５とを具備して、前記第２軸１２３が前記一方の第１軸１２１および前記他方の第１軸１２２と一体化することができる。
【００６０】
言い換えれば、前記一方の連結軸１２４および前記他方の連結軸１２５は、傾斜して形成され得、同じ長さで形成され得るものである。
【００６１】
ここで、前記一方の第１軸１２１と前記他方の第１軸１２２は、同軸上に位置することができる。
【００６２】
前記ボタン部１２０は、前記第２軸１２３から前記挿入空間Ｓ１に向かって延びて、外力を印加される外力印加部１２６と、前記第２軸１２３から前記排出空間Ｓ２に向かって延びて、バンドＢＡに形成された係止溝２１０を加圧する加圧部１２７とを具備することができる。
【００６３】
前記外力印加部１２６は、ユーザの指などによる外力を直接印加される構成要素であって、一種のスイッチであってもよく、ユーザの外力印加の便宜のために所定の厚さと所定の面積を具備することができる。
【００６４】
前記加圧部１２７は、前記係止溝２１０に挿入されて、実質的にバンドＢＡの移動を拘束する構成要素であってもよい。
【００６５】
前記ボタン部１２０は、前記外力印加部１２６と前記加圧部１２７を互いに連結する連結部１２８をさらに具備することができ、前記外力印加部１２６と、前記連結部１２８および前記加圧部１２７は、互いに連動して位置変化することができる。
【００６６】
なお、ボディー部１１０を構成する支持壁部１１２は、プラスチック樹脂を用いた射出により前記バックルＢＵが具現されるように、製造工程上で前記プラスチック樹脂が移動するための開口部Ｓ３を具備することができる。
【００６７】
具体的に、前記開口部Ｓ３は、上部金型および下部金型を含む射出金型内でプラスチック樹脂が移動して、ボディー部１１０およびボタン部１２０が一体化した前記バックルＢＵが具現されるようにする一種のプラスチック樹脂移動通路であって、その大きさには、制限がない。
【００６８】
これにより、本発明の一実施形態に係るバックルＢＵは、上部金型および下部金型を結合した後、プラスチック樹脂を前記上部金型と前記下部金型との間の空間に注入すると、一度に具現可能になるので、金型費用が低減され、生産性を最大化させることができ、この過程で前記開口部Ｓ３は、必然的に形成されることになる。
【００６９】
図８は、本発明の一実施形態に係るバックルの使用状態を示す図であって、バンドの挿入状態を示す図であり、図９は、本発明の一実施形態に係るバックルの使用状態を示す図であって、バンドの緩み状態を示す図である。
【００７０】
まず、図８を参照してバンドＢＡの挿入過程を説明する。
【００７１】
バックルＢＵにバンドＢＡの一端が挿入される過程を説明すると、バンドＢＡで各種電線などを取り囲んだ後、図８（ａ）に示されたように、前記バンドＢＡの一端をボディー部１１０の挿入空間Ｓ１に挿入する。
【００７２】
ここで、前記挿入空間Ｓ１に挿入される前記バンドＢＡは、安定してガイドされ得、これは、挿入側壁部１１１（図６参照）に形成された第２ガイド突出部１１３（図６参照）により具現され得る。
【００７３】
具体的に、前記ボディー部１１０は、前記第１側壁部１１４の内面および前記第２側壁部１１６の内面から延びて、前記支持壁部１１２との間で前記挿入空間Ｓ１の大きさを規定する挿入側壁部１１１を含むことができ、前記挿入側壁部１１１は、バンドＢＡの係止溝２１０と垂直に形成されるガイド溝２２０に対応する第２ガイド突出部１１３を具備することができる。
【００７４】
したがって、前記バンドＢＡの一端が前記挿入空間Ｓ１に挿入される場合、前記挿入側壁部１１１に形成された前記第２ガイド突出部１１３が前記バンドＢＡのガイド溝２２０に挿入された状態で前記バンドＢＡが移動することになって、安定した挿入を具現することができることになる。
【００７５】
なお、前記バンドＢＡの一端が前記挿入空間Ｓ１に挿入されることになると、図８（ｂ）に示されたように、前記バンドＢＡに形成された最前方の係止溝２１０は、前記加圧部１２７の直前まで到達することになる。
【００７６】
前記バンドＢＡが前記挿入空間Ｓ１に挿入された後、前記排出空間Ｓ２に排出される過程、すなわち前記バンドＢＡが前記挿入空間Ｓ１に挿入された後、前記最前方の係止溝２１０が前記加圧部１２７の直前まで到達する過程で、前記バンドＢＡは、連結部１２８に形成された第１ガイド突出部１２９（図５参照）により移動がガイドされ得る。
【００７７】
具体的に、前記連結部１２８は、バンドＢＡの係止溝２１０と垂直に形成されるガイド溝２２０に対応する第１ガイド突出部１２９を具備することができ、前記第１ガイド突出部１２９が前記ガイド溝２２０に挿入された状態で前記バンドＢＡが移動することになって、安定した移動を具現することができることになる。
【００７８】
なお、前記バンドＢＡが前記挿入空間Ｓ１に挿入され前記排出空間Ｓ２に排出される過程で、図８（ｃ）および図８（ｄ）に示されたように、前記バンドＢＡに形成された係止溝２１０は、前記加圧部１２７を通り過ぎることになる。
【００７９】
ここで、図８（ｃ）に示されたように、前記加圧部１２７は、前記係止溝２１０に係止することになり、継続的な外力により前記バンドＢＡが移動する場合、前記加圧部１２７は、図８（ｃ）に示されたように、前記係止溝２１０を規定する一面のうち挿入空間Ｓ１に向かう方向に備えられる一面に接触して、自動的に回転することになる。
【００８０】
ここで、前記係止溝２１０を規定する一面のうち挿入空間Ｓ１に向かう方向に備えられる一面および該一面と接触する前記加圧部１２７の一面は、傾斜して形成されて、前記バンドＢＡが移動する途中に、前記加圧部１２７は自動的に回転することになり、これにより、前記バンドＢＡの第１方向Ｄ１への移動は自由になるものである。
【００８１】
なお、前記加圧部１２７の自動的な回転は、一方の第１軸１２１および他方の第１軸１２２のねじりによって具現され得、これについては、バンドＢＡの緩み状態を説明しつつ、具体的に説明することとする。
【００８２】
上述のような過程を通じて、前記バンドＢＡは、排出空間Ｓ２に排出され得、この過程で、前記バンドＢＡは、排出側壁部１１７（図６参照）に形成された第２ガイド突出部１１８（図６参照）により安定してガイドされ得る。
【００８３】
前記ボディー部１１０は、前記第１側壁部１１４の内面および前記第２側壁部１１６の内面から延びて、前記支持壁部１１２との間で前記排出空間Ｓ２の大きさを規定する排出側壁部１１７を含むことができ、前記排出側壁部１１７は、前記挿入側壁部１１１と互いに離隔するように形成され得る。
【００８４】
前記排出側壁部１１７は、バンドＢＡの係止溝２１０と垂直に形成されるガイド溝２２０に対応する第２ガイド突出部１１８を具備することができ、これにより、前記バンドＢＡの一端が前記排出空間Ｓ２に排出される場合、前記排出側壁部１１７に形成された前記第２ガイド突出部１１８が前記バンドＢＡのガイド溝２２０に挿入された状態で前記バンドＢＡが移動することになって、安定した排出を具現することができることになる。
【００８５】
図９を参照してバンドＢＡが緩む原理について説明する。
【００８６】
ユーザは、バックルＢＵの加圧部１２７により拘束された状態であるバンドＢＡを緩めようとする場合、ユーザは、指などを利用して外力印加部１２６を加圧する。
【００８７】
前記外力印加部１２６に外力が印加されて加圧されると、前記外力印加部１２６に印加される外力により一方の第１軸１２１および他方の第１軸１２２は、ねじりＴＷが発生することになって、このようなねじりＴＷにより、前記加圧部１２７は、前記一方の第１軸１２１および前記他方の第１軸１２２を基準として回転して、第１位置から第２位置に位置変化することになり、一種のクランク軸の原理と類似している。
【００８８】
この際、一方の連結軸１２４および他方の連結軸１２５は、前記外力により前記一方の第１軸１２１および他方の第１軸１２２がねじれる場合、長さが変わらないことがある。
【００８９】
前記一方の連結軸１２４および前記他方の連結軸１２５は、前記外力により前記一方の第１軸１２１および他方の第１軸１２２がねじれる場合、前記一方の第１軸１２１および前記他方の第１軸１２２を基準として時計の重りのように回転（振子運動）することができ、それ自体の長さに起因して、外力印加部１２６に外力を印加するとき、小さい大きさの外力でも前記加圧部１２７の回転を具現することができることになる。
【００９０】
なお、前記外力により前記加圧部１２７が回転した後、前記バンドＢＡは、第２方向Ｄ２への移動が自由になり、その後、前記外力を除去することになると、前記一方の第１軸１２１および前記他方の第１軸１２２は、ねじりによる復元力によって元の位置に復帰して、第２位置から第１位置に位置変化することになる。
【００９１】
前記ねじりによる復元力は、材料自体の特性に起因したものであって、材料の成分によって復元力の程度は変わることができる。
【００９２】
上記のように、前記バックルＢＵをケーブルタイに用いる場合、前記バックルＢＵが適用されたケーブルタイは、１回使い捨てでなく、反復的な使用が可能であり、物体の拘束範囲を調節するためのバンドＢＡの長さを調節することにより、ユーザに便宜性を提供できることになる。
【００９３】
図１０は、本発明の他の一実施形態に係るバックルを示す概略斜視図であり、図１１は、図１０のＢ−Ｂ線に沿う概略断面図である。
【００９４】
また、図１２は、本発明の他の一実施形態に係るバックルの緩み防止機能を説明するための図である。
【００９５】
図１０および図１１を参照すると、本発明の他の一実施形態に係るバックルＢＵ’は、加圧部３２７を除いては、図１〜図９を参照して説明した本発明の一実施形態に係るバックルＢＵと構成および効果が同一であるので、前記加圧部３２７以外の説明は、省略することとする。
【００９６】
本発明の他の一実施形態に係るバックルＢＵ’に設けられる加圧部３２７は、バンドＢＡに形成されたガイド溝２２０を基準として同一線上の一方の方向および他方の方向にそれぞれ形成される一方の係止溝２１０Ａ（図１参照）および他方の係止溝２１０Ｂ（図１参照）をそれぞれ加圧する一方の加圧部３２７Ａおよび他方の加圧部３２７Ｂを具備することができる。
【００９７】
ここで、前記一方の加圧部３２７Ａおよび前記他方の加圧部３２７Ｂは、ボタン部３２０の連結部３２８からそれぞれ前記一方の方向および前記他方の方向に延びて形成され得る。
【００９８】
なお、前記一方の加圧部３２７Ａの一面のうち挿入空間Ｓ１に向かう一面は、第１側壁部３１４の内面から突出して形成される第１段差部３１５の第１段差面３１５Ｓに対応するように段差をもって形成されて、図１２に示されたように、前記バンドＢＡの前記第２方向Ｄ２に向かう外力による前記第１位置にある前記ボタン部３２０の回転を防止することができる。
【００９９】
そして、必要に応じて前記他方の加圧部３２７Ｂの一面のうち挿入空間Ｓ１に向かう一面は、第２側壁部１１６の内面から突出して形成される第２段差部３１９の第２段差面に対応するように段差をもって形成されて、前記バンドＢＡの前記第２方向Ｄ２に向かう外力による前記第１位置にある前記ボタン部３２０の回転を防止することができる。
【０１００】
前記バンドＢＡの前記第２方向Ｄ２に向かう外力は、前記バンドＢＡにより各種電線などが拘束された後、意図せずに作用する前記バンドＢＡに加えられる外力（例えば拘束された電線などがバンドＢＡの拘束力に対して対抗する外力）であってもよく、この場合、段差をもって形成される前記一方の加圧部３２７Ａの一面のうち挿入空間Ｓ１に向かう一面が前記第１段差面３１５Ｓと係合することになって、前記ボタン部３２０の回転が防止されて、意図しない緩みが防止されることになる。
【０１０１】
もちろん、段差をもって形成される前記他方の加圧部３２７Ｂの一面のうち挿入空間Ｓ１に向かう一面が前記第２段差面と係合することになって、前記ボタン部３２０の回転が効果的に防止されることは自明である。
【０１０２】
上記のように前記バンドＢＡにより各種電線などが拘束された後、意図せずに作用する前記バンドＢＡに加えられる外力（例えば拘束された電線などがバンドＢＡの拘束力に対して対抗する外力）がボタン部３２０に加えられることになれば、前記ボタン部３２０は、全体的に第２方向Ｄ２に押圧されることになり、その結果、前記一方の加圧部３２７Ａおよび前記他方の加圧部３２７Ｂは、それぞれ前記第１段差部３１５および前記第２段差部３１９に接触することになって、これ以上の緩みが防止されるので、前記一方の加圧部３２７Ａおよび前記他方の加圧部３２７Ｂは、それぞれ、前記一方の係止溝２１０Ａおよび他方の係止溝２１０Ｂからの分離が防止されて、意図しない緩みが防止されることになる。
【０１０３】
なお、前記一方の加圧部３２７Ａの一面のうち挿入空間Ｓ１に向かう一面と前記第１段差面３１５Ｓとの間の間隔は、バンドＢＡの第２方向Ｄ２への移動のために外力を印加する場合に発生する前記一方の加圧部３２７Ａの回転に妨害されないようにあらかじめ設定され得、上部金型および下部金型を結合した後、プラスチック樹脂の注入により製造されるバックルＢＵの製造工程上、必然的な部分になり得る。
【０１０４】
そして、前記他方の加圧部３２７Ｂの一面のうち挿入空間Ｓ１に向かう一面と前記第２段差面との間の間隔は、同様に、バンドＢＡの第２方向Ｄ２への移動のために外力を印加する場合に発生する前記他方の加圧部３２７Ｂの回転に妨害されないようにあらかじめ設定され得る。
【０１０５】
図１３は、ボタン部の変形例を示す図である。図１３を参照すると、本発明によるバックルＢＵ、ＢＵ’に設けられる加圧部４２７は、第１位置である場合、係止溝２１０のうち第１係止溝を加圧する第１加圧部４２７と、前記第１係止溝を基準として排出空間Ｓ２にさらに近く位置する第２係止溝を加圧する第２加圧部５２７とを具備することができる。
【０１０６】
ここで、前記第１加圧部４２７および前記第２加圧部５２７は、一体に形成され得、前記第１加圧部４２７および前記第２加圧部５２７によりバンドＢＡを拘束できる拘束力は、さらに大きくなり得る。
【０１０７】
なお、外力印加部４２６に外力を印加してバンドＢＡを第２方向Ｄ２に移動させようとする場合、前記第２加圧部５２７は、第１位置から前記第２位置に位置変化する場合の移動する程度が、前記第１加圧部４２７の移動する程度よりもさらに大きくてもよい。
【０１０８】
図１４は、バンドの長さ調節を可能にして物体の拘束範囲を調節できるようにする本発明のさらに他の一実施形態に係るバックルを示す概略斜視図であり、図１５は、図１４に示された実施形態によるバックルを示す概略斜視図である。
【０１０９】
また、図１６は、図１４に示された実施形態によるバックルを示す図であって、固定部によりバンドが整理される状態を説明するための図であり、図１７は、図１４に示された実施形態によるバックルを示す図であって、固定部により整理されたバンドが固定部から分離することができる状態を説明するための図である。
【０１１０】
図１４〜図１６を参照すると、本発明のさらに他の一実施形態に係るバックルＢＵは、バンドＢＡが挿入空間Ｓ１に挿入され排出空間Ｓ２に排出されて、物体に対する拘束が具現された後、排出空間Ｓ２に排出されたバンドＢＡの残余分を整理するための固定部６９０を除いて、前述した実施形態と構成および効果が同一なので、以下では、前記固定部６９０以外の説明は、省略することとする。
【０１１１】
前記バックルＢＵは、ボディー部６１０から延びて排出空間Ｓ２に排出されるバンドＢＡを固定させるための固定部６９０を含むことができる。
【０１１２】
具体的に、前記固定部６９０は、挿入空間Ｓ１の大きさを規定する挿入側壁部６１１から所定角度で延びて形成され得、前記排出空間Ｓ２から排出されたバンドＢＡの残余分との固定により、図１６に示されたように、前記排出空間Ｓ２に排出される前記バンドＢＡによる固定空間Ｓ４が提供されるようにすることができる。
【０１１３】
前記バックルＢＵは、バンドＢＡの引き締めによる物体の拘束された状態を維持した後、単純に底部に配置されて、バンドＢＡにより拘束された前記物体を整理できると共に、前記固定空間Ｓ４を活用して拘束された前記物体を空中に浮揚されたまま整理することもできる。
【０１１４】
すなわち、前記バックルＢＵは、物体が拘束された状態で前記固定空間Ｓ４を利用して壁やテーブル等に突出して形成されるピン等に係止して、拘束された物体を空中に浮揚されたまま整理できるものである。
【０１１５】
また、前記バックルＢＵは、物体が拘束された状態で、前記固定空間Ｓ４を利用して拘束された物体がカバンの取っ手など多様な位置に位置するようにすることもでき、イヤホンまたは充電ケーブル等を整理するときに使用する場合、バンドＢＡを挿入空間Ｓ１に挿入し排出空間Ｓ２に排出させて、イヤホン線または充電ケーブルを一次に整理し、前記固定空間Ｓ４を利用してイヤホン線または充電ケーブルをさらに整理することができる。
【０１１６】
また、前記バックルＢＵは、バンドＢＡを挿入空間Ｓ１に挿入し排出空間Ｓ２に排出させて、特定の物体を拘束した以後、前記固定空間Ｓ４を利用して拘束する物体を追加することもできる。
【０１１７】
なお、前記バックルＢＵは、バンドＢＡを挿入空間Ｓ１に挿入し排出空間Ｓ２に排出させて、拘束すべき物体が位置する対象物に固定され得、この際、前記固定空間Ｓ４は、物体を拘束する用途に用いられることもできる。
【０１１８】
前記固定部６９０は、前記排出空間Ｓ２に排出される前記バンドＢＡが通過できる通過空間Ｓ５を具備することができ、前記通過空間Ｓ５の幅は、バンドＢＡの幅に対応できるが、必ずこれに限定されるものではない。
【０１１９】
前記通過空間Ｓ５を規定する内面には、前記通過空間Ｓ５を通過するバンドＢＡの係止溝７１０に挿入され得るように突出して形成される挿入部６９５が形成され得る。
【０１２０】
前記挿入部６９５は、前記通過空間Ｓ５に挿入される前記バンドＢＡの第３方向Ｄ３への移動を自由にして、前記固定空間Ｓ４の大きさが調節され得るようにでき、前記通過空間Ｓ５を通過した前記バンドＢＡの前記第３方向Ｄ３の反対方向である第４方向Ｄ４への移動は、選択的に具現されるようにすることができる。
【０１２１】
言い換えれば、前記挿入部６９５は、前記バンドＢＡの移動を拘束する構成要素であってもよい。
【０１２２】
具体的に、前記係止溝７１０を規定する一面のうち前記第４方向Ｄ４に向かう一面および該一面と接触する前記挿入部６９５の一面は、傾斜して形成されて、前記バンドＢＡの前記第３方向Ｄ３への移動は、自由になることができるのに対し、前記係止溝７１０を規定する一面のうち前記第３方向Ｄ３に向かう一面および該一面と接触する前記挿入部６９５の一面は、ほぼ垂直に形成されて、前記バンドＢＡの第４方向Ｄ４への移動は、遮断され得るものである。
【０１２３】
なお、前記固定部６９０は、前記通過空間Ｓ５を通過して露出する前記バンドＢＡに加えられる外力により前記通過空間Ｓ５の大きさが変形されるように弾性変形されて、前記通過空間Ｓ５を通過した前記バンドＢＡの前記第４方向Ｄ４への移動を可能にすることができる。
【０１２４】
具体的に、図１７に示されたように、通過空間Ｓ５を通過して露出する前記バンドＢＡに上方に向かう外力を印加して、前記通過空間Ｓ５を通過する前のバンドＢＡと前記通過空間Ｓ５を通過したバンドＢＡが略「Ｕ」字状になるようにすると、前記外力により前記通過空間Ｓ５の状態は変形され、このような変形によって前記係止溝７１０を規定する一面のうちほぼ垂直に形成される前記第３方向Ｄ３に向かう一面および該一面と接触する前記挿入部６９５の一面は、互いに分離されることになり、これにより、前記バンドＢＡの前記第４方向Ｄ４への移動は可能になり得る。
【０１２５】
上記のように、本発明によるバックルＢＵは、固定部６９０により物体を拘束した以後のバンドＢＡの残余分に対する整理を可能にして、使用の便宜性および活用幅を最大化できると同時に、再使用を可能にすることができることになる。
【０１２６】
なお、本発明によるバックルＢＵは、ボタン部６２０の外力印加部６２６にユーザの指などによる外力が印加されるとき、前記ユーザの指などと第１側壁部６１４および第２側壁部６１６との干渉による前記外力印加部６２６の回転が妨害されるのを防止するように、前記第１側壁部６１４および前記第２側壁部６１６は、所定の部分が陥凹されて形成される干渉防止溝６１９を具備することができる。
【０１２７】
図１８は、図１４に示された実施形態によるバックルの変形例を示す図であって、固定部によりバンドが整理される状態を説明するための図であり、図１９は、図１８に示された実施形態によるバックルを示す図であって、固定部により整理されたバンドが固定部から分離することができる状態を説明するための図である。
【０１２８】
図１８および図１９を参照すると、固定部８９０は、通過空間Ｓ５を通過して露出する前記バンドＢＡに加えられる外力により前記通過空間Ｓ５を通過した前記バンドＢＡの前記第４方向Ｄ４への移動が可能なように、前記挿入部８９５が形成される一面の反対面がラウンド状に形成され得る。
【０１２９】
これにより、図１９に示されたように、通過空間Ｓ５を通過して露出する前記バンドＢＡに上方に向かう外力を印加して、前記通過空間Ｓ５を通過する前のバンドＢＡと前記通過空間Ｓ５を通過したバンドＢＡが略「Ｕ」字状になるようにすると、前記通過空間Ｓ５の状態変形と関係なく、前記係止溝７１０を規定する一面のうちほぼ垂直に形成される前記第３方向Ｄ３に向かう一面および該一面と接触する前記挿入部８９５の一面は、互いに分離されることになり、これにより、前記バンドＢＡの前記第４方向Ｄ４への移動は可能になり得る。
【０１３０】
なお、前記上口部８９５が形成される一面の反対面がラウンド状に形成されることにより、バンドＢＡの通過空間Ｓ５への挿入が円滑に進行され得る。
【０１３１】
図２０は、バンドの長さ調節を可能にして物体の拘束範囲を調節できるようにする本発明のさらに他の一実施形態に係るバックルを示す概略斜視図であり、図２１は、図２０に示された実施形態に係るバックルを示す概略斜視図である。
【０１３２】
また、図２２および図２３は、図２０に示された実施形態に係るバックルを示す図であって、固定部によりバンドが整理される状態を説明するための図である。
【０１３３】
図１８〜図２１を参照すると、本発明のさらに他の一実施形態に係るバックルＢＵは、バンドＢＡが挿入空間Ｓ１に挿入され排出空間Ｓ２に排出されて、物体に対する拘束が具現された後、排出空間Ｓ２に排出されたバンドＢＡの残余分を整理するための固定部８９０と前記バンドＢＡの相互作用関係を除いては、図１〜図１３を参照して説明した実施形態と構成および効果が同一なので、以下では、前記固定部８９０と前記バンドＢＡの相互作用関係以外の説明は、省略することとする。
【０１３４】
前記バックルＢＵは、ボディー部８１０から延びて排出空間Ｓ２に排出されるバンドＢＡを固定させるための固定部８９０を含むことができる。
【０１３５】
具体的に、前記固定部８９０は、挿入空間Ｓ１の大きさを規定する挿入側壁部８１１から所定角度で延びて形成され得、前記排出空間Ｓ２から排出されたバンドＢＡの残余分との固定により、図２１に示されたように、前記排出空間Ｓ２に排出される前記バンドＢＡによる固定空間Ｓ４が提供されるようにすることができる。
【０１３６】
前記固定空間Ｓ４の活用などでは、図１４〜図１７を参照して説明したので、以下では、省略することとする。
【０１３７】
前記固定部８９０は、終端が所定の直径を具備する球形状で形成され得、前記球形状の固定部８９０がバンドＢＡの固定ホールＨ１に挿入されて、前記固定空間Ｓ４が提供され得る。
【０１３８】
ここで、前記バンドＢＡは、終端に前記固定部８９０が挿入されて、前記固定空間Ｓ４の大きさを規定する前記固定ホールＨ１と、前記固定部８９０より大きく形成されて、前記固定部８９０が安定して挿入されるようにする挿入ホールＨ２とを具備することができる。
【０１３９】
ここで、前記バンドＢＡは、終端が前記挿入ホールＨ２に挿入された前記固定部８９０が前記バンドＢＡの移動によって前記固定ホールＨ１に対応する位置に移動するように、前記挿入ホールＨ２と前記固定ホールＨ１を互いに連結するガイドホールＨ３をさらに具備することができる。
【０１４０】
前記固定ホールＨ１は、前記挿入ホールＨ２より小さく形成され、かつ前記固定部８９０が引き出されない大きさで形成されて、前記固定部８９０の球形状の終端が前記固定ホールＨ１に挿入されることになると、前記バンドＢＡは、前記固定部８９０からの離脱が防止されることになって、前記固定空間Ｓ４は、安定した状態を維持することになる。
【０１４１】
結局、排出空間Ｓ２に排出されたバンドＢＡの残余分を整理するための前記固定部８９０と前記バンドＢＡの相互作用関係は、前記固定部８９０の球形状の終端が前記バンドＢＡの挿入ホールＨ２に挿入された状態で、前記バンドＢＡの第４方向Ｄ４への移動によって前記ガイドホールＨ２に沿って固定ホールＨ１に位置すると、前記固定部８９０が引き出されない大きさの前記固定ホールＨ１により前記バンドＢＡの前記固定部８９０からの離脱が防止され、前記固定空間Ｓ４は、安定した状態を維持することになるものである。
【０１４２】
以上、本発明による実施形態を基準として本発明の構成と特徴を説明したが、本発明は、これに限定されず、本発明の思想と範囲内で多様に変更または変形できることは、本発明の属する技術分野における当業者に明白なことであり、したがって、このような変更または変形は、添付の特許請求の範囲に属することを明らかにする。
【符号の説明】
【０１４３】
ＢＵ    バックル
ＢＡ    バンド
１１０  ボディー部
１２０  ボタン部
【図１】
2019093133.tif 000003
【図２】
2019093133.tif 000004
【図３】
2019093133.tif 000005
【図４】
2019093133.tif 000006
【図５】
2019093133.tif 000007
【図６】
2019093133.tif 000008
【図７】
2019093133.tif 000009
【図８】
2019093133.tif 000010
【図９】
2019093133.tif 000011
【図１０】
2019093133.tif 000012
【図１１】
2019093133.tif 000013
【図１２】
2019093133.tif 000014
【図１３】
2019093133.tif 000015
【図１４】
2019093133.tif 000016
【図１５】
2019093133.tif 000017
【図１６】
2019093133.tif 000018
【図１７】
2019093133.tif 000019
【図１８】
2019093133.tif 000020
【図１９】
2019093133.tif 000021
【図２０】
2019093133.tif 000022
【図２１】
2019093133.tif 000023
【図２２】
2019093133.tif 000024
【図２３】
2019093133.tif 000025